(57)【要約】  本発明は、フライス及びガイド片を備えるシステムに関する。このフライスは、長手方向軸線に沿って延びる細長いシャフトと、骨組織を除去するための少なくとも１つの周方向に配置された切れ刃を備えるフライス加工部を有する遠位端部とを備える。このガイド片は、ガイド片を支持構造体に解放可能に固定する固定要素と、長手方向軸線とを有する。ここで、ガイド片及びフライスの遠位端の一方は、ガイド片及びフライスの遠位端の一方の長手方向軸線と同軸の中心軸線を有するヘッドを備え、ガイド片及びフライスの遠位端の他方は、ガイド片及びフライスの遠位端の他方と同軸の中心軸線に沿って延びる内部空洞を備える。このヘッドは、ヘッドの軸平面にて凸状に丸みを帯びた軸受面を有するガイド部分を備え、この空洞は、空洞の軸平面にて凹状である当接面を有する案内部分を備える。この軸受面と当接面はその中心軸線回りに円形対称であり、空洞はヘッドのガイド部分を受容するような大きさと形状であり、その結果、凸状に丸みを帯びた軸受面と凹状当接面は、ヘッドと空洞との間でのその中心軸線回りの相対回転運動と、ガイド片の長手方向軸線に対するフライスの長手方向軸線の旋回とを同時に可能にするように、互いに接触する。
2020513911.tif 000002
【特許請求の範囲】
【請求項１】
フライス(１２)とガイド片(１０)とを具備するシステムであって、
前記フライス(１２)は、
長手方向軸線（ＬＭ）に沿って延びる細長いシャフト（３８）と、骨組織を除去するための少なくとも１つの周方向に配置された切れ刃（４４）を具備するフライス加工部（４２）を有する遠位端部分（４０）と、を具備し、
前記ガイド片（１０）は、
前記ガイド片（１０）を支持構造体に解放可能に固定する固定要素と、長手方向軸線とを有する、システムにおいて、
前記ガイド片（１０）及び前記フライス（１２）の前記遠位端（４０）の一方が、前記ガイド片及び前記フライスの前記遠位端の前記一方の長手方向軸線と同軸の中心軸線（ＣH）を有するヘッド（２８）を具備し、
前記ガイド片（１０）及び前記フライス（１２）の前記遠位端（４０）の他方は、前記ガイド片（１０）及び前記フライス（１２）の前記遠位端（４０）の前記他方の長手方向軸線と同軸の中心軸線（ＣC）に沿って延びる内部空洞（４８）を具備し、
前記ヘッド（２８）は、前記ヘッド（２８）の軸平面にて凸状に丸みを帯びた軸受面（３０）を有するガイド部分（３１）を具備し、
前記空洞（４８）は、前記空洞（４８）の軸平面にて凹状である当接面（５０）を有する案内部分（５１）を具備し、
前記軸受面及び当接面（３０；５０）はその中心軸線（ＣC；ＣH）回りに円形対称であり、
前記空洞（４８）は、前記ヘッド（２８）の前記ガイド部分（３１）を受容するような大きさと形状であり、その結果、前記凸状に丸みを帯びた軸受面（３０）と凹状の当接面（５０）は、前記ヘッド（２８）と前記空洞（４８）との間でその中心軸線（ＣH；ＣC）回りの相対回転と、前記ガイド片（１０）の長手方向軸線（ＬＧ）に対する前記フライス（１２）の前記長手方向軸線（ＬＭ）の旋回とを同時に可能にするように、互いに接触する、システム。
【請求項２】
前記ヘッド（２８）の前記ガイド部分（３１）又は前記空洞（４８）の前記案内部分（５１）の少なくとも一方は、その中心軸線（ＣH；ＣC）回りに円形対称であるため、その中心軸線回りに連続している軸受面（３０）又は当接面（５０）をそれぞれ形成する、請求項１に記載のシステム。
【請求項３】
前記ヘッド（２８）の前記ガイド部分（３１）と前記空洞（４８）の前記案内部分（５１）の両方は、その中心軸線（ＣH；ＣC）回りに円形対称であるため、その中心軸線回りに連続している軸受面（３０）及び当接面（５０）をそれぞれ形成する、請求項２に記載のシステム。
【請求項４】
前記軸受面（３０）は、前記ヘッドの前記ガイド部分（３１）の近位端と遠位端との間で前記ヘッド（２８）の軸平面内で連続面を形成し、及び／又は前記当接面（５０）は、前記空洞の前記案内部分（５１）の近位端と遠位端との間で前記空洞（４８）の軸平面内で連続面を形成する、請求項１〜３のいずれか１項に記載のシステム。
【請求項５】
前記軸受面（３０）と前記当接面（５０）の両方は、前記ヘッド（２８）の前記ガイド部分（３１）と前記空洞（４８）の前記案内部分（５１）のそれぞれの軸方向範囲にわたって軸平面にて連続している、請求項４に記載のシステム。
【請求項６】
前記ヘッド（２８）の軸平面での前記軸受面（３０）の断面は、半径ｒを有する曲率円弧を形成する、請求項１〜５のいずれか１項に記載のシステム。
【請求項７】
前記ヘッド（２８）の前記ガイド部分（３１）は球形であるため、前記ガイド部分（３１）の軸方向範囲にわたって球形の軸受面（３０）を形成する、請求項１〜６のいずれか１項に記載のシステム。
【請求項８】
前記空洞（４８）の前記当接面（５０）は、前記空洞の軸平面にて凹状に丸みを帯びている、請求項１〜７のいずれか１項に記載のシステム。
【請求項９】
前記ヘッド（２８）の前記軸受面（３０）及び前記空洞（４８）の前記当接面（５０）は、それぞれの軸平面にて一致する曲率を有する、請求項１〜８のいずれか１項に記載のシステム。
【請求項１０】
前記空洞（４８）の前記案内部分（５１）は球形であるため、前記案内部分（５１）の軸方向範囲にわたって球状当接面（５０）を形成する、請求項１〜９のいずれか１項に記載のシステム。
【請求項１１】
前記フライス（１２）の前記遠位端（４０）は、前記フライスの前記長手方向軸線（ＬＭ）と同軸の中心軸線（ＣH）に沿って延びる前記内部空洞（４８）を具備し、前記ガイド片（１０）は、前記ガイド片の前記長手方向軸線（ＬＧ）と同軸の中心軸線（ＣC）を有する前記ヘッド（２８）を具備する、請求項１〜１０のいずれか１項に記載のシステム。
【請求項１２】
前記フライス加工部（４２）は、少なくとも１つの周方向に配置された外側切れ刃（４４）を有する前記フライス（１２）の遠位先端（４６）に配置された第１の切削セクション（７４）を具備し、前記切れ刃は、近位方向にて半径方向外側に先細になる、請求項１〜１１のいずれか１項に記載のシステム。
【請求項１３】
前記フライス加工部（４２）は、前記第１の切削セクション（７４）に近位側で隣接して配置された第２の切削セクション（７８）をさらに具備し、前記第２の切削セクション（７８）は、周方向に配置されて前記第１の切削セクション（７４）と同数の外側切れ刃（４４）を有し、
前記第２の切削セクション（７８）の前記外側切れ刃は、前記第１の切削セクション（７４）の前記切れ刃の連続を形成し、
前記第２の切削セクション（７８）の少なくとも１つの外側切れ刃（４４）は、前記第１の切削セクション（７４）の少なくとも１つの切れ刃と比較して外側への傾斜の緩い先細部を有するか、内側へ傾斜する先細部を有するか、あるいは前記フライス（１２）の長手方向軸線（ＬＭ）と平行に延びる、請求項１２に記載のシステム。
【請求項１４】
前記フライス加工部（４２）は、骨組織を除去するための複数の周方向に配置された切れ刃（４４）を具備する、請求項１〜１３のいずれか１項に記載のシステム。
【請求項１５】
前記フライス（１２）及び前記ガイド片（１０）は、互いに接触したときに、前記ガイド片に対して前記フライスがさらに旋回するのを防止する協働停止面（５２、５３）を具備する、請求項１〜１４のいずれか１項に記載のシステム。
【請求項１６】
前記ヘッド（２８）は、前記ガイド部分（３１）の近位に、環状肩部（３６）を具備し、前記環状肩部は、前記ガイド部分（３１）の最大直径よりも大きい直径を有して遠位方向に面する第１の停止面（５２）を提供し、
前記空洞（４８）の遠位端から半径方向外向きに延びる第２の停止面（５３）が設けられる、請求項１５に記載のシステム。
【請求項１７】
前記ヘッド（２８）の前記ガイド部分（３１）は、前記ヘッドの最遠位端に配置され、前記空洞（４８）の前記案内部分（５１）は前記内部空洞の最近位端に配置される、請求項１〜１６のいずれか１項に記載のシステム。
【請求項１８】
前記ヘッド（２８）は、前記ガイド部分（３１）に近位側で隣接して配置され、前記ガイド部分の近位端の直径よりも小さい直径を有する頸部分（３２）を具備し、それによってアンダーカット（３４）を形成する、請求項１〜１７のいずれか１項に記載のシステム。
【請求項１９】
前記ガイド片（１０）は本体部分（１６）を具備し、前記本体部分（１６）は前記固定要素を具備する、請求項１〜１８のいずれか１項に記載のシステム。
【請求項２０】
前記固定要素はネジ山セクション（２４）を具備する、請求項１９に記載のシステム。
【発明の詳細な説明】
【技術分野】
【０００１】
本発明は、歯科分野で使用するためのガイド片及びフライス、特に骨プロファイラ用フライス工具のシステムに関する。
【背景技術】
【０００２】
患者の口腔内の１つ又は複数の歯を交換するために歯科インプラントを使用する。インプラントには、２つの必須の部分、即ち、係留部と支台部がある。係留部は骨に埋め込まれ、そこで骨組織と骨結合して補綴物を堅固に固定する。支台は口腔内に延び、補綴物を支える。所望の補綴要素（例えばブリッジ又はクラウン）を支台全体にわたって固定する。
【０００３】
インプラントは、係留部と支台部とが一体の部品として製造されるように、一体的に構成することができる。しかし、インプラントを２つ以上の部品で構成することの方が多く、その場合、インプラントは、少なくとも単独でインプラントと呼ばれる少なくとも１つの係留部品と、スペーサと呼ばれることもある別の支台とから構成される。そのような二部構成インプラントは、歯科医にさらに柔軟な治療選択肢を提供するため、一般に好ましいものである。係留部品は、通常、骨に完全に埋め込まれる、即ち、歯槽頂の高さまで埋め込まれるか、歯槽頂から軟組織内に数ミリメートル突出する。支台は、係留部品が骨に組み込まれた（骨結合された）後、あるいは係留部品が挿入された直後に、係留部品に直接的又は間接的に取り付けられる。支台はこのほか、挿入の前に係留部品に取り付けることができる。ほとんどの場合、支台は骨結合の後まで取り付けられない。そのような場合、インプラント部位への軟組織の侵入を防止するために、骨結合プロセス中に治癒キャップと呼ばれる部品が係留部品に取り付けられることが多い。最終補綴物を準備する過程では、いくつかの他の周知の部品を印象キャップ又はポスト及び一時的な支台などの係留部品に取り付けることが多い。
【０００４】
本明細書の残りの部分では、特に断らない限り、一部構成インプラントと二部構成インプラントを区別するために、用語「インプラント」は多部構成インプラントの係留部品を指すのに使用されるのに対し、用語「一体型インプラント」又は「一部構成インプラント」は、一体的な係留及び支台部を指すのに使用されることになる。
【０００５】
全体的に骨の内部に配置されるように設計され、その結果、患者の顎骨の上部で終端するインプラントが、「骨レベル」インプラントとして知られている。
【０００６】
骨レベルインプラントが骨内に配置されると、骨がインプラントの頂部より上に延びる可能性がある。これは、例えば、インプラントの配置が深すぎるため、骨稜が不均一であるため、あるいはインプラントが顎の中に斜めに配置される場合に発生することがある。インプラントの上方の骨は、支台をはじめとする部品（例えば、治癒キャップ、印象ポスト）のインプラントへの適正な取り付けを妨げる可能性がある。
【０００７】
このため、治癒キャップ、補綴部品、印象コーピング及び一時的な支台及び最終的な支台の適切な着座を可能にするために、インプラントの冠状縁の上方の骨を成形するために骨プロファイラを使用することが知られている。
【０００８】
公知の手順によれば、骨プロファイラの経路を案内するために案内シリンダがインプラントに接続される。案内シリンダは、インプラントから冠状に同軸に突出する中実の円筒形本体を備える。骨プロファイラは、冠状方向外側に向かって先細になっている円錐状フライス削りビットを備える。フライス削りビットは中心空洞を有する中空である。中心空洞は、骨プロファイラを案内シリンダと位置合わせするために、案内シリンダの円筒形本体全体に嵌合するように寸法決めされる。このようにして、骨プロファイラはインプラントに対して正確に位置決めすることができ、インプラントの冠状縁の上方の円錐形の体積の骨を取り除くことができる。案内シリンダの停止肩部が、フライス削りビットを挿入することができる深さを制限し、ひいてはインプラントを保護する。
【０００９】
従来の歯科用語によれば、「先端」は骨に向かう方向を指し、「冠状」は歯に向かう方向を指す。このため、部品の先端部は、使用時に顎骨の方を向く端部であり、冠状端部は口腔の方を向く端部である。
【００１０】
特許文献１（米国特許第５，７８２，６３６号明細書）は、埋め込まれた歯科用インプラントを囲む骨組織を除去するための骨輪郭形成工具を開示する。輪郭形成工具は一端に形成された切削刃手段と、輪郭形成工具と一体的に形成され、この切削刃手段の下方に延びるパイロットピンとを有する。パイロットピンは、輪郭形成工具を歯科インプラントと一直線上に並べ、骨組織の除去の間にこのインプラントの周囲に切削刃手段を案内するために、インプラントの中に挿入可能である。その後、パイロットピンと輪郭形成工具が同時に取り外される。
【００１１】
歯科用インプラントの分野では、天然歯の形状、例えば、楕円形、三角形などをさらに正確に模倣する断面を有する支台をはじめとする部品を提供する動きがある。しかし、既存の骨プロファイラは、（それ自体がインプラントと同軸である）案内シリンダの長手方向軸回りに円形対称の穴を形成することしかできない。その結果、非円形対称の支台をインプラント上に配置しようとする場合、既存の骨プロファイラによって準備された穴は支台形状と一致せず、支台又は他の解剖学的形状の部品をインプラント上に配置可能にするために余分な骨を取り除く必要がある。非対称インプラント（一体型又は多部構成のいずれか）を配置するために骨に孔を形成するときにも同様の問題が存在する。
【先行技術文献】
【特許文献】
【００１２】
【特許文献１】米国特許第５，７８２，６３６号明細書
【発明の概要】
【００１３】
このため、非円形対称歯科用部品に適合するように骨内に非円形対称穴を形成することを可能にするフライスを提供する必要がある。
【００１４】
この目的は、請求項１の少なくとも好ましい実施形態によるシステムによって達成される。
【００１５】
一態様によれば、本発明は、フライスとガイド片とを備えるシステムを提供する。フライスは、長手方向軸線に沿って延びる細長いシャフトと、骨組織を除去するための少なくとも１つの周方向に配置された切れ刃を備えるフライス加工部を有する遠位端部分とを備える。ガイド片は、ガイド片を支持構造体に解放可能に固定する固定要素と、長手方向軸線とを有する。ガイド片及びフライスの遠位端の一方は、ガイド片及びフライスの遠位端の一方の長手方向軸線と同軸の中心軸線を有するヘッドを備え、ガイド片及びフライスの遠位端の他方は、ガイド片及びフライスの遠位端の他方と同軸の中心軸線に沿って延びる内部空洞を備える。このヘッドは、ヘッドの軸平面にて凸状に丸みを帯びた軸受面を有するガイド部分を備え、この空洞は、空洞の軸平面にて凹状である当接面を有する案内部分を備える。この軸受面と当接面はその中心軸回りに円形対称である。空洞はヘッドのガイド部分を受容するような大きさと形状であり、その結果、凸状に丸みを帯びた軸受面と凹状当接面は、ヘッドと空洞との間でのその中心軸線回りの相対回転運動と、ガイド片の長手方向軸線に対するフライスの長手方向軸線の旋回とを同時に可能にするように、互いに接触する。
【００１６】
このため、本発明は、円筒形ガイドではなく、ガイドとフライスとの間の玉継ぎ手接続が設けられる新しい形態の誘導を備えたフライスシステムを提供する。フライスとガイド片の一方、例えば、ガイド片は、凸状に丸みを帯びた軸受面を有するガイド部分を備えるヘッドを備えるのに対し、他方の部品、例えば、フライスは、内部空洞であって、ヘッドのガイド部分が内部空洞内に配置されるようにヘッドのガイド部分全体にわたって配置することができる内部空洞を備える。この係合位置では、即ち、内部空洞の凹状の当接面がヘッドの凸状の軸受け面に当接するようにヘッドのガイド部分が内部空洞内に受容される場合には、フライスはその長手方向軸線回りに回転し、同時に、ガイド片の長手方向軸線周りを旋回することができる。このため、ヘッド及び空洞は、歯科医が骨内に非円形対称の穴を形成することを可能にするための玉継ぎ手として作用する。フライスの旋回自由度のおかげで、骨に形成された穴は、その長手方向軸線回りに円形対称ではない部品を含む任意の歯科用部品の輪郭に実質的に一致するように個々に調整することができ、その結果、歯科用部品は穴に適切に篏合する。言い換えれば、円形対称の穴だけでなく、例えば楕円形又は不規則な断面を有する穴もフライス加工することができる。さらに、本発明のシステムによってフライス加工された孔の深さは、ガイド片の長手方向軸線からのフライスの角度ずれの程度に応じて、ガイド片の長手方向軸線周りに変化することがある。特定の例を挙げると、本発明のシステムは、歯医者が楕円形の断面を有する穴を骨に切削加工することを可能にし、その穴は頬側及び／又は舌側の領域にて骨にさらに深く切削加工される。
【００１７】
本発明によれば、内部空洞は、空洞の凹状当接面がヘッドの凸状軸受面に当接し、同軸受面に対して回転可能かつ旋回可能に移動可能であるように、ヘッドのガイド部分を収容するような大きさ及び形状である。本発明の文脈において、フライスの回転に対する言及は、フライスの長手方向軸線回りの回転を意味するのに対し、旋回又は旋回運動に対する言及は、ガイド片の長手方向軸線に対するフライスの長手方向軸線の角度ずれを意味する。
【００１８】
軸受面と当接面の両方がその中心軸線回りに円形対称であるため、ヘッドと空洞との間の相対回転運動が可能になる。このため、両面は、互いに接触したままで、それぞれの中心軸線回りを自由に回転することができる。
【００１９】
ガイド片に対するフライスの旋回運動は、ヘッドの軸平面内、即ち、ヘッドの中心軸線と同一平面内にある軸受面の凸状に丸みを帯びた断面によって可能になる。これにより、軸受面と当接面とが互いに接触している間に、フライスがガイド片に対して旋回することが可能になる。
【００２０】
いくつかの実施形態では、軸受面と当接面の一方又は両方が、その中心軸線回り及び／又はその中心軸線と同一平面内で不連続であってもよい。即ち、軸受面及び／又は当接面はそれぞれ、溝、刻み目などによって中断されてもよく、その結果、軸受面及び／又は当接面は、ヘッドのガイド部分上又は空洞の案内部分上の周方向及び／又は軸線方向に離間した点又は区画によって形成される。
【００２１】
周方向に不連続な軸受面及び／又は当接面を、例えば、三角形、四角形、五角形、六角形、七角形又は八角形などの多角形の断面をその中心軸線に直交する平面（横断面）に有するヘッドのガイド部及び／又は空洞の案内部分によって設けることができる。これとは別に、周方向に不連続な面を、例えば、その中心軸線直交する断面、Ｔｏｒｘ（登録商標）又は「自転車用スポーク」断面を有するヘッドのガイド部分及び／又は空洞の案内部分によって形成することができる。そのような断面は、ガイド部分及び／又は案内部分の表面上の複数の周方向に離れた点又は区画によって形成された周方向に不連続な軸受面及び／又は当接面を提供する。上記の断面形状は、軸受面の場合、ヘッドのガイド部分の輪郭に関連するのに対し、当接面の場合、空洞の案内部分の周方向の境界に関連する。
【００２２】
軸方向に不連続な軸受面及び／又は当接面を、例えば、ヘッドのガイド部分及び／又は空洞の案内部分であって、その中心軸線と同軸の平面内に切子面付き又は段付きの輪郭を有する部分によって設けることができる。そのような断面は、ガイド部分及び／又は案内部分の表面上の複数の軸方向に離間した点又は区画によって形成された軸方向に不連続な軸受面及び／又は当接面を提供する。軸受面の場合、このような離間した点又は区画は、軸受面の凸状に丸みを帯びた性質が維持されるように円弧上に存在する。当接面の場合、軸方向に離間した点又は区画は円弧上に存在することができるか、これとは別に、例えば、円錐又は円柱又は他の凹形状上に点を形成してもよい。
【００２３】
軸受面は不連続であり得るため、ヘッドのガイド部分の多くの幾何学的形態が可能である。例えば、ヘッドのガイド部分は、その中心軸線に直交する平面内で八角形又は他の多角形の断面（横断面）と、ヘッドの軸平面の円弧形、嵌め込み式、段付き又は切子面付きの断面とを有することができる。これとは別に、ヘッドのガイド部分は、例えば、星形、花形又は「自転車の車輪」形の横断面を有する横断面を形成するように、さまざまな形状の網目状物（ｗｅｂｂｉｎｇ）によって接合された多数の周方向に離間して半径方向に延びるスポークによって形成されてもよいのに対し、スポークの軸方向の断面は、円弧形、はめ込み式、段付き又は切子面付きの形状にすることができる。ヘッドのガイド部分が、円弧状の軸方向断面を有するスポーク又は多角形断面を備える場合、概ね「傘」形状を有すると言える。ヘッドのガイド部分が、嵌め込み式軸方向断面を有するスポーク又は多角形断面を備える場合、概ね「松かさ」形状を有すると言える。ヘッドがガイド片上に形成され、ガイド片の固定部品がネジ山を備える場合、ガイド片を回転させ、支持構造体に装着するためにスポーク間に形成された溝が適切な工具によって係合可能である可能性があるため、横断面にて半径方向に延びるスポークを備えるヘッドが有利であることがある。
【００２４】
このほか、当接面は不連続であることがあるため、空洞の案内部分の多くの幾何学的形態が可能である。ヘッドのガイド部分と同じように、空洞の案内部分は、その中心軸線に直交する平面内の八角形をはじめとする多角形の断面（横断面）と、空洞の軸方向面内の円弧形、嵌め込み式、段付き又は切子面付きの断面を有してもよい。これとは別に、空洞の案内部分は、軸方向及び／又は周方向に延びる溝によって中断された概ね球形、トロイダル形、円形、円筒形又は円錐形の表面を有してもよい。
【００２５】
軸受面及び／又は当接面が不連続である場合、当然ながら、ヘッドのガイド部分の軸方向範囲にわたって、軸受面がヘッドの最も外側の半径を形成し、空洞の案内部分の軸方向範囲にわたって、当接面は空洞の最も内側の半径を形成することが不可欠である。これにより、軸受面と当接面とが互いに接触し、その所与の機能、即ち、相対回転運動及び相対旋回運動を確実なものにする。
【００２６】
軸受面と当接面の両方がその中心軸線回りに不連続である実施形態では、両面は、両面が互いに対して完全に１回転する過程で、両面間の接触がその円周上のある点で常に維持されるように設計されることが好ましい。これは、例えば、軸受面の各セクションの周方向の広がりが当接面のセクション間の距離の周方向の広がりよりも大きいことによって達成することができる。これにより、回転中に、軸受面と当接面とが常に接触しているため、さらに良好な誘導が作り出される。
【００２７】
好ましくは、ヘッドのガイド部分又は空洞の案内部分の少なくとも一方が、その中心軸線回りに円形対称であり、このため、その中心軸線の周りに連続する軸受面又は当接面をそれぞれ形成する。そのような連続的な円形対称の軸受面又は当接面を提供することによって、フライスの回転中に両面間の滑らかな接触を維持することができ、ガイド片上でのフライスの跳ね、ぐらつき又はがたつきを防止する。
【００２８】
一般に、さらに滑らかな誘導を作り出すためには、当接面と軸受面との間にさらに多くの接触点があることが好ましい。このため、当接面がその中心軸線回りで連続的であり、軸受面が多角形の横断面を有するガイド部分によって形成されるか、あるいはその逆の場合、多角形の横断面を有する案内部分では、八角形又は十角形が三角形などに優先されるであろう。
しかし、最も好ましくは、ヘッドのガイド部分と空洞の案内部分の両方がその中心軸線回りに円形対称であり、このため、その中心軸線回りに連続する軸受面と当接面をそれぞれ形成する。これにより、ガイド部分及び案内部分の全周にわたって最良の面対面接触が得られるため、フライスへの最適な回転誘導が得られる。
【００２９】
フライスとガイド片との間に円滑な旋回運動を提供するために、当接面又は軸受面の少なくとも一方が、空洞の案内部分又はヘッドのガイド部分の軸方向範囲にわたる軸平面ではそれぞれ連続していることが好ましい。言い換えれば、軸受面は、ヘッドのガイド部分の近位端と遠位端との間でヘッドの軸平面にて連続面を形成し、及び／又は当接面は、空洞の案内部分の近位端と遠位端との間の空洞の軸平面にて連続面を形成する。最も好ましくは、軸受面と当接面の両方がそれぞれ、ヘッドのガイド部分及び空洞の案内部分の軸方向範囲にわたってそれぞれの軸平面にて連続している。これは、可能な限り最良の面対面接触を提供し、ひいてはフライスへの最適な旋回誘導を提供する。
【００３０】
本発明によれば、ヘッドの軸受面は、ヘッドの軸平面内、即ちヘッドの中心軸線と同一平面内に凸状に丸みを帯びた断面を有する。軸受面が例えば楕円形の軸方向断面を有することは可能であるが、ヘッドの軸平面における軸受面の断面は半径ｒを有する曲率円弧を形成することが好ましい。これにより、ガイド片上でのフライスの移動の自由度を最大にすることができる。そのような実施形態では、曲率円弧がヘッドの中心軸線を中心とすることは必須ではない。その代わりに、曲率円弧の中心は中心軸線から半径方向にずらすことができ、その結果、軸受面はトロイダル形状であり、即ち、トーラスの一部を形成する。しかし、簡略化するために、軸受面の曲率円弧はヘッドの中心軸線を中心とすることが好ましい。これにより、協働する軸受面及び当接面を設計するときに考慮しなければならない設計上の考慮事項の数が軽減される。
【００３１】
いくつかの実施形態では、これまでに考察したように、軸受面はヘッドの軸平面にて不連続であってもよい。しかし、好ましくは、軸受面はガイド部分の軸方向範囲にわたってヘッドの軸平面にて連続的である。これは、製造を容易にし、ガイド部分の軸方向範囲にわたって連続的な旋回ガイド面を提供する。このため、そのような実施形態では、ヘッドのガイド部分は、ヘッドの軸平面内に凸状に丸みを帯びた断面を有し、好ましくは半径ｒを有する曲率円弧を形成する。
【００３２】
製造を容易にし、最も滑らかな誘導を確実にするために、軸受面はその中心軸線回りでヘッドのガイド部分の軸方向範囲にわたって連続的であることが好ましい。これは、例えば、球形又はトロイダル形状を有するヘッドのガイド部分によって達成することができる。
【００３３】
特に好ましい実施形態では、ヘッドのガイド部分は球形であり、このためガイド部分の軸方向範囲にわたって球形の軸受面を形成する。ヘッドのガイド部分は、半球などの球状キャップの形態をとることができる。そのような実施形態では、ガイド部分、ひいては軸受面は、丸いドームを形成する。しかし、ヘッドのガイド部分は、球状区画、即ち、二つの平行な平面内に含まれる球の表面を、球が先端方向にも冠状方向にも切頭されるように形成することが好ましい。このため、この実施形態では、ガイド部分、ひいては軸受面は、球形の円錐台又は円錐台形である。これにより、ガイド部分の高さが低くなる。さらに、ヘッドがガイド片上に形成されるとき、球形区画の形態のガイド部分が、ガイド片の冠状端に、以下でさらに考察するように、ネジ回しと協働するための駆動凹部を形成するか、貫通孔の冠状端部を形成するために使用することができる領域を作り出すことができる。
【００３４】
本発明によれば、空洞の案内部分の当接面は、空洞の軸平面、即ち、空洞の中心軸線と同一平面にて凹状である。いくつかの実施形態では、当接面は、例えば、円錐形又は円筒形の軸方向断面を備えてもよい。そのような当接面は、ヘッドの丸みを帯びた凸状の軸受面に対して空洞を回転させて旋回させることができるが、それでもなお、空洞の当接面は、空洞の軸平面にて凹状に丸みを帯びていることが好ましい。言い換えれば、当接面は、丸みを帯びた凹状の軸方向断面を有する。これにより、軸受面と当接面との間の面接触が大きくなり、このため動作中のフライスのさらに良好な誘導が得られる。
【００３５】
ヘッドの軸受面と空洞の当接面は、それぞれの軸平面にて一致する曲率を有することが好ましい。このようにして、両面は互いに正確に接触することができ、フライスの円滑な旋回誘導をもたらす。
【００３６】
これまでに考察したように、当接面は、空洞の案内部分の軸方向に離間した点又は区画によって形成されるように、軸平面にて不連続であることがある。しかし、当接面は、空洞の案内部分の軸方向範囲にわたって軸平面にて連続的であることが好ましい。
【００３７】
製造を容易にし、最も円滑な誘導を確実にするために、当接面は、その中心軸線回りで空洞の案内部分の軸方向範囲にわたって連続的であることが好ましい。これは、例えば、円形、円筒形、球形、トロイダル形又は円錐形の形状を有する空洞の案内部分によって達成することができる。
【００３８】
これまでに考察したように、好ましい実施形態では、空洞の当接面は、ヘッドの軸受面と一致する曲率を有する。このため、特に好ましい実施形態では、空洞の案内部分とヘッドのガイド部分とは、一致する球形又はトロイダル形状を有する。
【００３９】
好ましい一実施形態では、空洞の案内部分は、球形であるため、案内部分の軸方向範囲にわたって球状の当接面を形成する。この実施形態では、ヘッドの軸受面は、好ましくは、一致する凸球面曲率を有する。好ましくは、案内部分は凹状の球形キャップ、好ましくは半球を形成する。この実施形態では、軸受面は不連続であっても連続球形キャップを形成してもよいが、好ましくは、上記のように、ヘッドのガイド部分、ひいては軸受面は球形区画を形成する。
【００４０】
本発明によれば、空洞及びヘッドはガイド片又はフライスのいずれかに配置することができる。空洞及びヘッドの中心軸線は、中心軸線が配置されているどの部品の長手方向軸線とも同軸である。例えば、ガイド片は内部空洞を備えてもよい。この場合、空洞の中心軸線はガイド片の長手方向軸線と同軸である。そのような実施形態では、フライスの遠位端はヘッドを備え、ヘッドの中心軸線はフライスの長手方向軸線と同軸であることになる。
【００４１】
しかし、好ましくは、フライスの遠位端はフライスの長手方向軸線と同軸の中心軸線に沿って延びる上記の内部空洞を備えるのに対し、ガイド片はガイド片の長手方向軸線と同軸の中心軸線を有するヘッドを備える。この構成は、結果として生じる玉継ぎ手がフライスの遠位端内に配置されることを可能にし、このため少なくとも１つの切れ刃がシステムの旋回点と軸方向に重なる。空洞がガイド片内に配置される代替実施形態では、（少なくとも１つの）切れ刃は旋回点の上方、即ち、旋回点の冠状部に位置することになる。これにより、フライスと骨の接触量を減らすことができる。この実施形態では、これを補償し、骨との接触深さを増大させるために、ガイド片及び支持構造に対して旋回点を低くする、即ち、いっそう先端寄りに配置する必要がある。しかし、多くの好ましい実施形態では、以下で考察するように、ガイド片は使用中に歯科用インプラントに固定されるか、そのようなインプラントを収容するように寸法決めされた予め掘削された穿孔内に固定される。このようなインプラント、ひいてはその調節孔は、必然的に小さな直径を有する。このため、空洞がガイド片の先端に配置されている場合、空洞に利用可能な設置面積は小さく、構造的に弱い玉継ぎ手をもたらす可能性がある。このため、フライスの遠位端に空洞を形成し、ガイド片上にヘッドを形成することによって玉継ぎ手をフライス内に配置することが好ましい。
【００４２】
本発明によれば、フライス加工部は、骨組織を除去するための少なくとも１つの周方向に配置された切れ刃を備える。好ましくは、フライスの切削能力を高めるために、フライス加工部は、骨組織を除去するために周方向に配置された複数の切れ刃、最も好ましくは周方向に等間隔に離間した２〜８個の切れ刃を備える。
【００４３】
フライス加工部は、フライスの軸平面内で円筒形又は円錐形であるか、丸みを帯びたものであることがある。好ましくは、フライス加工部は、少なくとも１つの周方向に配置された外側切れ刃であって、近位方向にて半径方向外向きに先細になる切れ刃を有するフライスの遠位先端に配置された第１の切削セクションを備える。そのような切削セクションは骨に先細穴を形成することを可能にする。これは、フライスが歯槽頂に向かって外側に先細になる穴を切削加工することを可能にするため有益である。これは、結果として生じる孔内に着座している歯科用部品がさらに自然な「出現プロファイル」を有することを可能にする。さらに、第１の切削セクションの先細構成は、フライス削り作業中に骨片を切削部位から除去することを可能にする。これは、骨組織の切削加工中に外科医に妨げのない視野を提供するのを助け、さらに望ましくない発熱を最小限に抑えるのを助ける。フライスの主な機能は、予め掘削された穴周りの骨を除去することであり、このため、（少なくとも１つの）切れ刃はフライス加工部の円周上に配置されるが、少なくとも１つの切れ刃がフライスの遠位端に形成されることが好ましい。これは、フライスの旋回中に骨を取り除くのに役立つ。
【００４４】
フライス加工部はこの第１の切削セクションのみを備えることができるが、フライス加工部は好ましくは第１の切削セクションに隣接して近位側に配置された第２の切削セクションをさらに備える。第２の切削セクションは、第１の切削セクションと同じ数の周方向に配置された外側切れ刃を有する。ここで、第２の切削セクションの（少なくとも１つの）外側切れ刃は、第１の切削セクションの（少なくとも１つの）切れ刃の連続体を形成する。第２のセクションの少なくとも１つの外側切れ刃は、第１の切削セクションの少なくとも１つの切れ刃よりも外向きの傾斜が緩いか、内向きに傾斜する、即ち、近位方向に半径方向内向きに延びるか、あるいはフライスの長手方向軸線に平行に延びる。そのような第２の切削セクションは、フライスがガイド片上で旋回するときに半径方向の余分な量の骨が除去されるのを回避しながらフライスの切削長さを増大させる。最も好ましくは、第２の切削セクションの少なくとも１つの切れ刃は、フライスの長手方向軸線と平行に延びる。これは製造を簡単にする。しかし、代替実施形態では、第２の切削セクションの少なくとも１つの切れ刃は近位方向に内向きに先細になっている。これにより、作成された穿孔を最適に制御できる。
【００４５】
本発明によれば、ヘッドのガイド部分が空洞内に受容されている間、ガイド片に対するフライスの回転運動及び旋回運動が可能となるように、軸受面と当接面とが互いに接触する。好ましくは、この係合位置では、フライスの長手方向軸線は、ガイド片の長手方向軸線に対して鋭角α、好ましくは１°〜１８０°、さらに好ましくは１５°〜４５°、最も好ましくは５５°〜６５°を成す程度まで旋回可能である。
【００４６】
ガイド片に対するフライスの過度の旋回を防止するために、フライスとガイド片とは、互いに協働する停止面であって、互いに接触したときに、ガイド片に対してフライスがさらに回転運動するのを防止する停止面を備えることが好ましい。
【００４７】
これは、例えば、ヘッドのガイド部分の遠位端に軸方向に延びる突起を設けることによって達成することができる。この実施形態では、空洞は、そのガイド部分の近位に、突起よりも大きい直径を有するチャンバをさらに備える。係合位置では、突起はチャンバ内に収容される。フライスがガイド片の長手方向軸線から離れるように旋回されると、突起はチャンバに対してチャンバ内で移動する。フライスの長手方向軸線とガイド片の長手方向軸線との間のずれの角度が所定の限界に達すると、突起はチャンバ壁に当接し、それ以上の旋回を阻止する。
【００４８】
しかし、この形態の内部停止面は、空洞の中空領域を増加させ、ひいては空洞が配置されている構造体（ガイド片又はフライス）を弱める。さらに、そのようなチャンバを作成することは、空洞の製造上の複雑さを増大させる。このため、一般に、本発明に関しては、ヘッドのガイド部分はヘッドの最遠位端に配置され、空洞の案内部分は内部空洞の最近位端に配置されるのが好ましい。同じ理由で、これとは別に、あるいはこれに加えて、空洞の案内部分の遠位端は、内部空洞の最遠位端に配置されるのが好ましい。このため、好ましい実施形態では、当接面は空洞の軸方向範囲全体にわたって延びる。これまでに考察したように、空洞の当接面のための好ましい形状には球形キャップが挙げられる。このため、好ましい一実施形態では、空洞は全体として凹形の球形キャップを形成する。
【００４９】
誤解を避けるために、本明細書を通して、ガイド片及びフライスの「遠位」端への言及は、協働する部品（即ち、ガイド片及びフライスの他方）に使用時に最も近い端部を指すのに対し、「近位」端とは、当該部品の反対側の離れた端を指す。
【００５０】
空洞の案内部分が内部空洞の最近位端に配置される実施形態では、それでもなお、停止面を空洞内に形成することが可能である。例えば、軸受面と当接面の両方が、球形区画又はトロイダル区画と一致することによって形成されてもよい。即ち、両面は、２つの平行な平面の間にある球形又はトーラス形状の表面を有する。しかし、当接面の近位端は、軸受面の遠位切頭面よりも中心から遠い基礎球体又はトーラスの一点で切頭される。このため、空洞は、近位切頭平面に相当する空洞の近位面が、遠位切頭平面に相当するガイド片の遠位端と接触するまで、軸受面上で旋回することができる。
【００５１】
しかし、好ましい実施形態では、ヘッドは、ガイド部分の近位に、環状肩部を備える。この環状肩部は、ガイド部分の最大直径よりも大きい直径を有して遠位方向を向く第１の停止面を提供する。環状肩部はヘッドの中心軸線に直交することが好ましいが、先細形状であるか湾曲していてもよい。さらに、空洞の遠位端から半径方向外向きに延びる第２の停止面が設けられる。第２の停止面は、空洞の中心軸線に直交することが好ましいが、これも先細形状であるか湾曲していてもよい。第１及び第２の停止面は協働して、フライスがガイド片に対して旋回できる程度を制限する。フライスがガイド片の長手方向軸線から離れるように旋回すると、ヘッドの停止面と空洞に関連する停止面とは、所定の角度で、互いに当接して、さらに旋回運動をするのを妨げられるまで、接近することになる。ヘッドの遠位端と環状肩部との間の距離は一般に、内部空洞の深さよりも大きい。このように、フライスとガイド片とが係合位置にあり、ガイド片の長手方向軸線とフライスの長手方向軸線とが一直線上にある場合、第２の停止面は環状肩部と接触しないことになる。ガイド片回りでフライスを旋回させる（即ち、ガイド片の長手方向軸線に対してフライスの長手方向軸線を旋回させる）と、第２の停止面と環状肩部とが接触するまで、その間の最小距離が減少することになる。このため、環状肩部は、ガイド片に対するフライスの旋回角度を制限することができる。
【００５２】
環状肩部、あるいは半径方向に延在する停止面を設けることが好ましいという１つの理由には、環状肩部又は停止面を用いて、ガイド片が固定される支持構造体を保護することもできることが挙げられる。これは、支持構造体がインプラントである場合に特に重要である。このため、一実施形態では、ガイド片の停止面は、歯科用インプラントの冠状面に当接するような大きさ及び形状である下面であって、先端に面する下面を有することが好ましい。停止面の下面は、インプラントの冠状面を覆うことによって、インプラントをフライスの（少なくとも１つの）切れ刃から保護する。このため、ヘッド又は空洞がガイド片上に形成されるかどうかに応じて、この実施形態では、ガイド片は、環状肩部であって、その先端方向に面する下面がインプラントの冠状面に当接するような大きさ及び形状である環状肩部を備えることになるか、半径方向に延びる第２の停止面であって、この停止面の下面がインプラントの冠状面に当接するような大きさ及び形状である停止面を備えることになるかのいずれかである。
【００５３】
本発明によれば、ヘッドはガイド部分を備える。好ましい実施形態では、ヘッドは、ガイド部分に近位側で隣接して配置され、ガイド部分の近位端の直径よりも小さい直径を有し、それによってアンダーカットを形成する頸部分をさらに備える。アンダーカットは、ガイド片回りにフライスを旋回させるときにフライス加工部又はガイド片の遠位端が前進することができる追加の空間をガイド部分の近位側に提供する。頸部の側面は、いくつかの実施形態では、フライスの旋回運動を制限するための停止面として作用することができる。ここでは、直径の大きい頸部の方が、直径の小さい頸部よりも小さい角度にフライスの旋回を制限する。しかし、これまでに考察したように、ヘッドの停止面は環状肩部によって提供されることが好ましい。このため、特に好ましい実施形態では、ヘッドは、ガイド部分と、ガイド部分の近位端の直径よりも小さい直径を有してガイド部分に近位側で隣接する頸部とを備え、それにより、アンダーカットを形成し、この頸部に隣接して、ガイド部分の最大直径よりも大きい直径を有する環状肩部を形成する。特に好ましい実施形態では、このヘッドはガイド片上に配置される。
【００５４】
本発明によれば、ヘッドは、ガイド片を支持構造体に解放可能に固定する固定要素を備える。ガイド片の固定要素は、ガイド片を、下にある支持構造体に直接又は間接的に取り付けることを可能にする任意の要素であってもよい。
【００５５】
本発明のガイド片及びフライスは、例えば、不規則な形状のインプラントを収容するために骨に穿孔ときに使用され得る。そのような状況では、ガイド片は、事前に掘削された穿孔内と、楕円形、三角形をはじめとする不規則な頸部形状を有するインプラントを骨内に配置することができるように孔の冠状部分を広げるのに用いられるフライス内に固定される。そのような実施形態では、インプラントは一体型インプラントであるか、二部構成インプラントの係留部であってもよい。このため、このような実施形態では、固定要素はガイド片を骨の穿孔に解放可能に固定するように構成される。
【００５６】
しかし、好ましくは、本発明のガイド片及びフライスは、ｉｎ−ｓｉｔｕ骨レベルインプラントの冠状部に位置する骨を成形するように構成される。そのような実施形態では、ガイド片の固定要素は、ガイド片をインプラントに解放可能に固定するように構成される。
【００５７】
多部構成インプラントの係留部品は、その冠状端に、システムの他の部品、例えば、支台を堅固に回転しないようにインプラントに固定可能にする接続手段を備える。ほとんどの場合、インプラントは、インプラントの長手方向軸線に沿って延びる開口部を備える。これとは別に、あるいはこれに加えて、インプラントの冠状端は、軸方向に突出するボスを備えてもよい。
【００５８】
そのようなボスを備えるインプラントと共に使用するように設計されたガイド片が、ガイド片をボスの上に位置決めすることを可能にする相補的な空洞を備える固定要素を備えてもよい。インプラント及びガイド片の設計に応じて、ガイド片は、摩擦篏合又はスナップ篏合（例えば、ボスが適切なアンダーカットを備える場合）又はセメントによってボス上に解放可能に保持することができる。
【００５９】
しかし、大部分の骨レベルインプラントは、軸方向に突出するボスを備えていない。
【００６０】
このため、好ましい実施形態では、ガイド片は本体部分を備え、本体部分は固定要素を備える。本体部分は、骨内の予め掘削された穿孔内に挿入されるように設計され得る。しかし、本体部分は、インプラントの開口部に挿入されるように設計されるのが好ましい。
【００６１】
固定要素は、インプラントの開口部とのスナップ嵌合又は摩擦嵌合を形成するための可撓性アーム、あるいはバヨネットロックを形成するための１つ又は複数の半径方向に延びるピンを備え得る。これとは別に、固定要素は、協働する先細部を有するインプラント開口部との摩擦嵌合を形成するための先細セクションを備えてもよい。しかし、好ましくは、固定要素は、インプラントへのネジ接続のためのネジ山セクションを備える。好ましくは、ネジ山セクションは雄ネジを備える。
【００６２】
上記の実施形態とは別に、ガイド片は、別個のネジ部品によってインプラントに締結できるように貫通孔を備えてもよい。この後者の変形例では、固定要素は、別個のネジがガイド片を貫通してインプラント内のネジ穴に螺合することを可能にする貫通孔を備える。ネジ座が貫通孔内又はガイド片の冠状端部内のいずれかに設けられる。
【００６３】
ガイド片が骨内への直接挿入を意図されている場合、本体部分はこのほか、部品の使用中に本体部分を骨に取り外し可能に固定するためにネジ山セクションをはじめとする固定要素、例えば、先細部を備えてもよい。
【００６４】
いくつかの実施形態では、ガイド片の本体部分は、回転防止機構、例えば、適合する回転防止機構、例えば、歯科用インプラントの開口部に設けられた八角形などの内部多角形と係合するための多角形断面を有する部分を備えてもよい。そのような実施形態では、固定要素はネジ山セクションを備えることができないが、例えばスナップ機構又は先細部を備えてもよい。これとは別に、回転防止機構がガイド片の本体に存在する場合、固定要素は上記のように貫通孔を備えることが好ましい。これにより、別個のネジ要素がガイド片を貫通して、ガイド片を歯科用インプラントに固定することが可能になる。
【００６５】
ガイド片の本体部分は、固定要素に対して冠状になっている円錐形部を備えてもよい。円錐形部は、本体部分からヘッド又は空洞への滑らかな移行部を提供することができる。ガイド片が内部空洞を備える場合、円錐形部は空洞を作り出すことができる容積を増大させることができる。
【００６６】
ガイド片がインプラントに締結されるように構成され、環状肩部を備える場合、この肩部の下面はこのほか、ガイド片の歯科用インプラントの開口部への挿入深さを制限するように作用することができる。
【００６７】
このため、環状肩部は、３つの目的を果たすことができる。即ち、歯科用インプラントの開口部へのガイド片の貫通を制限するため、ガイド片に対するフライスの旋回角を制限するため、フライスの切削作用から歯科用インプラントを保護するための停止部を提供する。この３つの目的は互いに独立して提供することができる。このため、例えば、ヘッドを備えるガイド片を有することが可能であり、ヘッドは環状肩部を備える。ここで、環状肩部はフライスと協働するための第１の停止面を形成せず、代わりに冠状端を保護し、及び／又はガイド片の挿入深さを制限するために設けられる。
【００６８】
特に好ましい実施形態では、ガイド片は、ガイド片を歯科用インプラントに解放可能に固定する固定要素を有する本体部分、好ましくはネジ山セクションと、本体部分の冠状部、即ち、ヘッドとを備える。ヘッドは、その冠状端に軸受面を有するガイド部分を備える。ヘッドは、ガイド部分の先端部に直接配置され、ガイド部分の先端部よりも小さい直径を有する頸部分をさらに備えるため、アンダーカットを形成し、頸部分に先端側で隣接して、ガイド部分の最大直径よりも大きい直径を有して半径方向に延びる環状肩部を形成する。好ましくは、軸受面、さらに好ましくは、ガイド部分は、球形区画の形状を有する。これにより、ヘッドの冠状端は円形横断面を有する平坦面を有することになる。好ましくは、ヘッドの冠状端は、例えば、多角形又はＴｏｒｘ（登録商標）形状のような非円形対称断面を有する盲孔を備える。この盲孔は、ガイド片をインプラントに締結するためにネジ回しによって係合することができる駆動凹部を形成する。
【００６９】
さらに一般的には、固定要素がネジ山セクションを備える全実施形態では、ガイド片の冠状端部は、好ましくは多角形、最も好ましくは六角形又はトルクス（登録商標）（ｔｏｒｘ）形状の非円形対称断面を有する盲孔を備えることが好ましい。。規格ＥＮ  ＤＩＮ  ＩＳＯ  １０６６４には、ネジ用の対応する内部六角形又はトルクス（登録商標）形状が記載されており、参照することにより本明細書に組み込まれる。このようにして、盲孔は、ドライバのようなトルク付与工具上の適合する駆動手段に解放可能に接続されて、ガイド片を回転させることができる。内部六角形又はトルクス（登録商標）形状を有するネジにトルクを伝達するのに適したトルク付与工具が、例えば、規格ＥＮ  ＤＩＮ  ＩＳＯ  １０６６４に同じように規定されており、参照することにより本明細書に組み込まれる。
【００７０】
ガイド片が本発明の空洞を備える場合、上記の盲孔は、案内部分の当接面に対して近位であるか、遠位であるか、軸方向に整列している空洞内に形成することができる。この後者の場合、当接面は空洞の中心軸線回りで不連続となる。ガイド片がヘッドを備える場合、盲孔はヘッドの冠状端部に形成することができる。球状区画の形態のガイド部分が、盲孔を形成することができる適切な大きさの冠状端部を提供することができる。
【００７１】
好ましい実施形態によれば、盲孔は、補助部品、特に支台又は治癒キャップを歯科用インプラントに取り付けるために後に使用されるのと同じ駆動工具からトルクを受けるように構成される。
【００７２】
一般に、本発明によれば、ガイド片は一体的に形成されるのが好ましい。ガイド片を一体ピースとして製造すると、流体、汚れなどが入り込む可能性があって細菌が繁殖する可能性がある微小間隙の形成が回避される。さらに、一体的に形成されたガイド片を設けることにより、ガイド片の製造が容易になり、ガイド片の安定性が高まる。
【００７３】
同じ理由から、フライスは一体的に形成されるのが好ましい。
【００７４】
フライス加工部に加えて、フライスは、その近位端に、フライスを歯科用ハンドピースなどのトルク伝達装置に軸方向及び回転方向に固定する接続手段をさらに備えることが好ましい。接続手段は、例えば、ＩＳＯ規格のラッチとすることができる。
【００７５】
ヘッドがガイド片上に形成されている好ましい実施形態では、ガイド片は４ｍｍ〜１０ｍｍ、好ましくは５ｍｍ〜８ｍｍの全長を有する。ヘッド部分は、好ましくは１〜３ｍｍの高さである。軸受面は、好ましくは１．５ｍｍ〜３．５ｍｍ、特に約２．４ｍｍの最大直径を有する。
【００７６】
本発明のシステムの部品は、金属、プラスチック及びセラミックを含む医療用途に適した任意の生物学的に許容される材料から作成することができる。言うまでもなく、部品は異なる材料から製造することも、全て同じ材料から製造することもできる。好ましい材料の例には、市販のステンレス鋼、チタン及びチタン合金が挙げられる。本発明のシステムのフライス及び／又はガイド片はこのほか、２つ以上の上記の材料の組み合わせから製造されてもよい。
【００７７】
好ましい実施形態では、本発明のシステムは、長手方向に延びる開口部を有するインプラントをさらに備え、ガイド片の固定要素は、これまでに考察した１つ又は複数の好ましい実施形態に従って、ガイド片をインプラントに解放可能に固定するように構成される。
【図面の簡単な説明】
【００７８】
本発明によるシステムの好ましい実施形態を、添付の図面を参照して、ほんの一例として説明する。
【図１Ａ】本発明によるガイド片及びフライスの好ましい実施形態の斜視図。
【図１Ｂ】フライスの長手方向軸線がガイド片の長手方向軸線に対して旋回している状態で、フライスがガイド片に取り付けられる図１Ａのシステムの斜視図。
【図２Ａ】ガイド片が歯科用インプラントに固定されている図１Ａに示されるシステムを通る長手方向断面の拡大図。
【図２Ｂ】ガイド片が歯科用インプラントに固定されている図１Ｂに示されるシステムを通る長手方向断面の拡大図。
【図３Ａ】本発明の別の実施形態によるヘッドのガイド部分及び空洞の案内部分の横断面図。
【図３Ｂ】本発明の別の実施形態によるヘッドのガイド部分及び空洞の案内部分の横断面図。
【図３Ｃ】本発明の別の実施形態によるヘッドのガイド部分及び空洞の案内部分の横断面図。
【図４Ａ】本発明の別の実施形態によるヘッドのガイド部分の代替形状を示す図。
【図４Ｂ】本発明の別の実施形態によるヘッドのガイド部分の代替形状を示す図。
【図４Ｃ】本発明の別の実施形態によるヘッドのガイド部分の代替形状を示す図。
【図４Ｄ】本発明の別の実施形態によるヘッドのガイド部分の代替形状を示す図。
【図５】図２ＢのＸ部分の詳細を示す図。
【図６Ａ】本発明のシステムのヘッド及び空洞の代替実施形態を示す図。
【図６Ｂ】本発明のシステムのヘッド及び空洞の代替実施形態を示す図。
【図７】分離した状態の図１及び図２のガイド片の拡大斜視図。
【図８】分離した状態の図１及び図２のフライスの拡大図。
【図９】図８のフライスの遠位端の平面図。
【図１０Ａ】歯科用インプラントの骨冠状部に非対称の先細開口部を形成するために本発明のシステムを利用する外科手術中のさまざまな段階を示す図。
【図１０Ｂ】歯科用インプラントの骨冠状部に非対称の先細開口部を形成するために本発明のシステムを利用する外科手術中のさまざまな段階を示す図。
【図１０Ｃ】歯科用インプラントの骨冠状部に非対称の先細開口部を形成するために本発明のシステムを利用する外科手術中のさまざまな段階を示す図。
【図１０Ｄ】歯科用インプラントの骨冠状部に非対称の先細開口部を形成するために本発明のシステムを利用する外科手術中のさまざまな段階を示す図。
【図１０Ｅ】歯科用インプラントの骨冠状部に非対称の先細開口部を形成するために本発明のシステムを利用する外科手術中のさまざまな段階を示す図。
【図１０Ｆ】歯科用インプラントの骨冠状部に非対称の先細開口部を形成するために本発明のシステムを利用する外科手術中のさまざまな段階を示す図。
【図１０Ｇ】歯科用インプラントの骨冠状部に非対称の先細開口部を形成するために本発明のシステムを利用する外科手術中のさまざまな段階を示す図。
【発明を実施するための形態】
【００７９】
図１Ａ及び図１Ｂは、歯科処置及び歯科用インプラント処置に使用するための本発明のシステムの第１の実施形態を示す。このシステムは、ガイド片１０とフライス１２とを備える。フライス１２は、ガイド片１０の冠状面の周囲から骨を除去するのに使用される。図１Ａでは、ガイド片１０の長手方向軸線ＬＧとフライス１２の長手方向軸線ＬＭとが一直線上に並んだ状態で、ガイド片１０とフライス１２とが分離して示される。ガイド片１０は、先端部１８から長手方向軸線ＬＧに沿って冠状端部２０に向かって延びる本体部分１６を備える。本体部分１６は、患者の顎骨内の事前穿孔内に挿入するように構成することができるが、本実施形態では、本体部分１６は歯科用インプラント１４の中央開口部２２に挿入するように構成される（図２Ａ及び図２Ｂ参照）。本体部分１６は、歯科用インプラント１４の開口部２２内の雌ネジと係合するための雄ネジ２４の形態の固定要素を備える。ガイド片１０は、本体部分１６の遠位端にヘッド２８をさらに備える。
【００８０】
ヘッド２８は、球形区画の形態をとるガイド部分３１を備えるため、切頭球状軸受面３０を形成する。ヘッド２８は、ガイド部分３１の頂部に直接配置され、ガイド部分３１の先端部の直径より小さい直径を有する頸部分３２をさらに備え、それによってアンダーカット３４を形成する。頸部分３２は、長手方向軸線ＬＧに直交して半径方向外向きに延び、ガイド部分３１の最大直径よりも大きい直径を有する環状肩部３６に冠状に隣接する。
【００８１】
フライス１２は、長手方向軸線ＬＭに沿って近位端３９から遠位端４０に向かって延びる細長いシャフト３８を備える。遠位端４０にて、フライス１２は、骨組織を除去するための複数の周方向に配置された切れ刃４４を備えるフライス加工部４２を備える。遠位端４０にて、フライス１２は内部空洞４８を備える。内部空洞４８は、当接面５０を形成する凹状半球状案内部分５１を有し、ガイド片１０のガイド部分３１を受容し収容するように構成される。
【００８２】
図２Ａ及び図２Ｂに示すように、フライス１２の空洞４８は、ガイド片１０のガイド部分３１を覆うように嵌合することができる。ガイド部分３１が内部空洞４８内に全体的に挿入されると、当接面５０はガイド片のヘッド２８の軸受面３０に当接する。当接面５０及び軸受面３０は、適合する球面曲率を有し（図５も参照）、このため、フライス１２をその軸線ＬＭ回りに回転可能にするほか、フライス１２の長手方向軸線ＬＭを、図１Ｂ及び図２Ｂに示すように、ガイド片１０の長手方向軸線ＬＧに対して旋回させることができる。
【００８３】
好ましい実施形態に示される連続球形当接面５０及び軸受面３０のほか、当接面及び軸受面の多数の代替形状が可能である。図３Ａ〜図３Ｃは、代替実施形態の少数の選択を提供する。
【００８４】
図３Ａは、空洞１４８のガイド部分の横断面、即ち、空洞１４８の中心軸線ＣCに直交する断面が円形である例を提供する。このため、これにより、連続的な円形対称当接面１５０が提供される。対照的に、ヘッドのガイド部分１３１の横断面、即ち、ヘッドＣHの中心軸線に直交する断面は六角形である。これにより、ガイド部分１３１の円周周りの６つの別々の点で当接面１５０と接触する不連続な軸受面１３０が形成される。
【００８５】
図３Ｂは対照的な構造の例を提供する。ヘッドのガイド部分２３１は円形の横断面を有するため、連続的な軸受面２３０を形成するのに対し、空洞２４８の案内面の断面は多角形（この場合は八角形）であるため、８つの別々の接触点を有する不連続な当接面２５０を形成する。
【００８６】
軸受面と当接面の両方が不連続であることも可能である。一例を図３Ｃに示す。ここで、ヘッドのガイド部分３３１は、複数の半径方向の突起３２９を有する横断面を有し、このような突起の頂点は不連続な軸受面３３０を形成する。空洞３４８の相補的案内部分は、周方向に離間した溝３４７によって中断された円形横断面３４９を有する。円形断面の残りの区画は不連続な当接面３５０を形成する。
【００８７】
いずれの場合にも、図３Ａ〜図３Ｃの協働する軸受面及び当接面は、ガイド片１０とフライス１２とを、その長手方向軸線ＬＧ、ＬＭ回りに相対的に回転させることができる。空洞１４８、２４８、３４８は、ヘッドが他の部品に配置される状態で、フライス１２又はガイド片１０のいずれかに配置され得る。
【００８８】
本発明の軸受面は、ヘッドの軸平面にて凸状に丸みを帯びている必要がある。図４Ａ及び図４Ｂは、不連続な軸受面を有するヘッドのガイド部分の例を提供する。図４Ａは、軸受面４３０を形成する八角形の頂点を有する八角形の横断面を有するガイド部分４３１を示す。図４Ｂは、丸みを帯びた溝５２７によって挟まれた軸受面５３０を形成する複数の突起５２９を備える横断面を有するガイド部分５３１を示す。両方の場合では、軸受面４３０、５３０は軸平面にて連続的かつ球形であるため、概ね「傘」形状のヘッドを形成する。図４Ｃでは、ガイド部分６３１も同じように八角形の横断面を有する。しかし、さらに、ガイド部分６３１はこのほか、軸平面内で切子面となっている。このため、軸受面６３０は、軸方向及び周方向に離間した点によって形成される。軸平面では、点は（点線で示される）円弧を追従するため、凸状に湾曲した軸受面６３０を形成する。
【００８９】
最後に、図４Ｄは、軸平面内で球形ではなく、代わりにトロイダル形であるヘッドのガイド部分７３１の例を提供する。ここで、軸受面７３０を、半径ｒを有する曲率円弧によって形成する。しかし、この半径はヘッドＣHの中心軸線を中心としておらず、この中心軸線からオフセットされている。これにより、トロイダル軸受面７３０と、軸受面７３０の遠位端の平坦面７３３とが得られる。この平坦面７３３は、ネジ回しと協働するための盲孔を形成するのに使用されるか、軸方向に延びる貫通チャネルのための空間を提供するのに使用され得る。
【００９０】
図１及び図２に示す好ましい実施形態に戻ると、図５及び図７に最もよく見られるように、環状肩部３６は、ガイド片１０の本体部分１６と軸受面３０との間に介在する。この肩部３６は、２つの主な機能を有し、一方では、ガイド片１０に対するフライス１２の旋回角度αを制限するための第１の停止面５２を提供する。この目的のために、第１の停止面５２はフライス１２の遠位端４０によって提供される第２の停止面５３と協働する。ガイド片１０の冠状端部２０と停止面５２との間の距離ｄ1は、フライスの内部空洞４８の深さｄ2より大きい。このように、フライス１２とガイド片１０とが係合位置にあり、ガイド片１０の長手方向軸線ＬＧとフライス１２の長手方向軸線ＬＭとが一直線上にある場合、フライス１２の遠位端４０（第２の停止面５３）は、第１の停止面５２と接していない。フライス１２をガイド片のヘッド２８周りに旋回させると、フライス１２の長手方向軸線ＬＭとガイド片１０の長手方向軸線ＬＧとの間の角度αである旋回角度αは大きくなるのに対し、フライス１２の遠位端４０と第１の停止面５２との間の最小距離ｄminは、遠位端と停止面が接触するまで小さくなる（図５参照）。この時点で、最大旋回角度αmaxに達している。
【００９１】
環状肩部３６の他の機能は、歯科用インプラント１４の開口部２２へのガイド片１０の挿入深さの制限である。具体的には、環状肩部３６は、歯科用インプラント１４の開口部２２の直径ＤAよりも大きい直径ＤSを有する。環状肩部３６は、その下面に、歯科用インプラント１４の中央開口部２２周りに延在する冠状上面５６と相補的な形状の下部停止面５４を備える。これにより、ガイド片１０は、下部停止面５４が冠状上面５６上に静止するようになるまで、歯科用インプラント１４の開口部２２内に挿入することができる。次いで、下部停止面５４は、ガイド片１０がさらに挿入されるのを防止し、ヘッド２８がインプラント１４から十分に突出してフライス１２の遠位端４０がその上に嵌合できるようにする。さらに、インプラント１４の冠状端部を覆うことによって、環状肩部３６はこのほか、歯科用インプラント１４の冠状上面５６をフライス１２から保護する。
【００９２】
図５にも見られるように、頸部分３２によって形成されたアンダーカット３４は、フライスの使用中にフライス１２の遠位端４０が旋回するための空間を提供する。
【００９３】
本発明の範囲内に含まれる停止面の代替形態が可能である。図６Ａ及び図６Ｂはそのような代替実施形態の例を提供する。
【００９４】
図６Ａは、図５の断面図に基づくものである。しかし、これは、半球形状を有する当接面８５０ではなく、軸受面８３０の球状区画と類似する球状区画を形成する。しかし、当接面８５０を形成する球状区画は、軸受面８３０の遠位切頭平面８３５よりも基礎球体の中心から離れた点で近位端８５５にて切頭されている。これは、空洞の近位端８５５がヘッド８２８の遠位端８２０に当接するまで、空洞８４８がヘッド８２８周りを旋回することができることを意味する。このため、この実施形態では、フライスの停止面は空洞８４８の近位端８５５によって形成され、ガイド片の停止面はヘッド８２８の遠位端８２０によって形成される。環状肩部３６は、インプラントを切れ刃４４から保護し、ガイド片のインプラントへの挿入深さを制限するためにのみ作用する。
【００９５】
図６Ｂは、図４Ｄに示すヘッドのガイド部分７３１を含み、ヘッドは軸方向に延びる突起７２９をさらに備える。相補的空洞７４８は、当接面７５０の近位に、チャンバ７５５を備える。ガイド部分７３１が空洞７４８内に収容されると、突起６２９はチャンバ７５５内に収容される。チャンバ７５５は突起７２９よりも大きい直径を有するため、突起は所定の旋回角度に達するまでチャンバに対してチャンバ内で移動することができ、その時点で突起７２９はチャンバ７５５に当接し、それ以上の旋回を防止する。
【００９６】
図１及び図２の好ましい実施形態に再度戻ると、図７に最もよく見られるように、ガイド片１０のヘッド２８は、冠状端部２０に向かって開いており、トルク付与工具と協働するための非円形対称断面６０を有する中央盲孔５８を備える。図示の実施形態では、断面６０はトルクス（登録商標）形状を有する。このため、ガイド片のヘッド２８の内側トルクス（登録商標）は、ガイド片１０を回転させるために、ネジ回し８２（図１０Ａ参照）などのトルク付与工具の外側トルクス（登録商標）に解放可能に接続することができる。
【００９７】
ガイド片１０は一体的に形成される。図１Ａ、図１Ｂ、図５及び図７に示すように、ガイド片１０の本体部分１６は、直径が異なるいくつかの部分、即ち、先端部１８から延び、第１の直径Ｄ1を有する円筒形の第１の部分６２と、第１の部分６２に冠状に配置され、直径Ｄ2を有する後続の円筒形の第２の部分６４と、第２の部分６４に冠状に配置され、環状肩部３６内に延びる円錐形の第３の部分６６と、を備える。直径Ｄ2は直径Ｄ1よりも大きく、第３の部分６６の直径Ｄ3は冠状方向に増大する。第１のシャフト部分６２には、歯科用インプラント１４の中央開口部２２内の雌ネジと係合するための雄ネジ２４が設けられる。
【００９８】
図８は、図１及び図２の好ましい実施形態の分離された状態のフライス１２を示す。シャフト３８は、近位端３９に、フライス１２を回転させるための（図示しない）電動歯科用ハンドピースに接続するための接続部６８を備える。フライス加工部４２の切れ刃４４は、長手方向軸線ＬＭ周りに周方向に離間する。フライス加工部４２は第１の切削セクション７４を備える。この切削セクションでは、切れ刃は外向きの先細部７６を有する。この先細部７６は、骨に先細穴を形成することを可能にする。図示の実施形態では、長手方向軸線ＬＭに対する先細部７６の角度は２３°である。第１の切削セクション７４の（長手方向の）長さは約０．８ｍｍである。第２の切削セクション７８が第１の切削セクション７４に近位側で隣接している。第２の切削セクション７８の切れ刃４４は、長手方向軸線ＬＭと平行に延びる。図示の実施形態では、第２の切削セクション７８は約４．０ｍｍの長さを有する。この第２の切削セクション７８を設けることにより、フライス１２がインプラント１４に対して旋回するときに骨を過剰に取り除くことが回避される。
【００９９】
図９は、フライス１２の遠位端４０の平面図を示す。切れ刃４４は、フライス１２の外周に沿って等間隔に配置される。このほか、切れ刃４１がフライス１２の遠位端４０に形成される。内部空洞４８はフライス１２の長手方向軸線ＬＭを中心とする。
【０１００】
図１及び図２に関連して説明したシステムの使用は図１０Ａ〜図１０Ｇに図示される。ここでは、ガイド片１０は、患者の顎骨８０内に固定された骨レベルインプラント１４の中央開口部２２内に螺合される。ガイド片１０をインプラント１４内に螺合するためにネジ回し８２が使用される。次いで、フライス１２は歯科用ハンドピース８４に挿入され、フライス１２の遠位端４０は、フライス１２を回転させることなく、ガイド片１０のヘッド２８上に配置され、これにより、ヘッド２８のガイド部分３１はフライスの遠位端４０に設けられた内部空洞４８内に全体的に挿入される。この係合位置では、内部空洞４８の当接面５０がガイド片１０のヘッド２８上の軸受面３０に当接し、フライス１２はガイド片１０の中心軸線ＬＧ（ひいては、インプラント１４の中心軸線）に対して旋回することができる。フライス１２は、軽い圧力を加えることによってヘッド２８上に保持され、非円形断面を有する支台がインプラント１４に接続されるのに十分なスペースを提供するために、歯科用インプラント１４の冠状端部５６の上の余分な骨を切除するために回転させられる。フライス１２は、フライス削り作業中、ガイド片１０に結合されたままである。フライス１２の長手方向軸線ＬＭがガイド片１０の長手方向軸線ＬＧと一直線上にある状態が維持されている場合（図１０Ｂ）、歯科用インプラント１４の周囲の骨に対称中心の先細穴を形成することができる。図１０Ｃに示すように、フライス１２を片側にわずかに傾けることによって、非対称の穴８６を作り出すことができ、それによって非対称の断面を有する支台をインプラント１４に取り付けることができる。このため、穴８６の形状は、支台又は他の部品、例えば、歯科用インプラント１４上に配置されることになる治癒キャップ８８の形状と実質的に一致するように構成することができる。ガイド片１０の環状肩部３６が歯科用インプラント１４の冠状上面５６を覆っているため、フライス１２は、インプラント１４に切り込むリスクなしに、インプラント１４の周囲の歯槽頂部骨を安全に摩耗させることができる。所望の形状及び寸法を有する穴８６が設けられた時点で、フライス１２は取り外され（図１０Ｄ）、ガイド片１０はインプラント１４との螺合から解除される（図１０Ｅ）。最後に、図１０Ｇに示すように、治癒キャップ８８又は他の部品はインプラント１４内に配置され螺合される。
【０１０１】
上記の実施形態は例示のみを目的としたものであり、当業者は特許請求の範囲内にある代替の構成が可能であることを理解するであろう。例えば、ヘッドは、フライス及びガイド片の空洞に形成されてもよい。軸受面と当接面は、球形ではなくトロイダル形とすることができ、それぞれの中心軸線周り又は軸平面内で不連続としてもよい。ガイド片は、骨の穿孔内に挿入されるように構成されてもよく、先細セクションなどの代替固定要素、貫通孔又はスナップ／摩擦嵌合手段を備えてもよい。
【図１Ａ】
2020513911.tif 000003
【図１Ｂ】
2020513911.tif 000004
【図２Ａ】
2020513911.tif 000005
【図２Ｂ】
2020513911.tif 000006
【図３Ａ】
2020513911.tif 000007
【図３Ｂ】
2020513911.tif 000008
【図３Ｃ】
2020513911.tif 000009
【図４Ａ】
2020513911.tif 000010
【図４Ｂ】
2020513911.tif 000011
【図４Ｃ】
2020513911.tif 000012
【図４Ｄ】
2020513911.tif 000013
【図５】
2020513911.tif 000014
【図６Ａ】
2020513911.tif 000015
【図６Ｂ】
2020513911.tif 000016
【図７】
2020513911.tif 000017
【図８】
2020513911.tif 000018
【図９】
2020513911.tif 000019
【図１０Ａ】
2020513911.tif 000020
【図１０Ｂ】
2020513911.tif 000021
【図１０Ｃ】
2020513911.tif 000022
【図１０Ｄ】
2020513911.tif 000023
【図１０Ｅ】
2020513911.tif 000024
【図１０Ｆ】
2020513911.tif 000025
【図１０Ｇ】
2020513911.tif 000026
【国際調査報告】
2020513911.tif 000027
2020513911.tif 000028